(57)【特許請求の範囲】
【請求項１】
下記の要件を備えたことを特徴とする変形ロボット玩具
（イ）ロボットの形態から筆記具セットの形態に可逆的に変化可能なロボット玩具であること。
（ロ）前記ロボット玩具は、胴体部材と第１の筆記具と第２の筆記具とから構成されていること。
（ハ）前記胴体部材には、複数の隔壁が互いに平行となるように設けられた装着部が形成され、当該装着部に前記第１および第２の筆記具を装着することで並列状に保持されるようになっていること。
（ニ）第１の筆記具は、前記複数の隔壁により形成された中央の区画に係合させることにより着脱自在に保持されるようになっていること。
（ホ）第２の筆記具は、前記複数の隔壁により形成された左右の区画に係合させることにより着脱自在に保持されるようになっていること。
（ヘ）第１の筆記具は、一端に前記ロボット玩具の頭部材を有するとともに、他端には筆記部が設けられていること。
（ト）第２の筆記具の上端は筆記部を構成しており、その下部は前記ロボット玩具の脚部を構成していること。
【発明の詳細な説明】
【０００１】
【発明の属する技術分野】
本発明は、ロボットの形態から筆記具セットの形態に可逆的に変化可能な筆記具セットの構造に関するものである。
【０００２】
【従来の技術】
従来、形態が変化する種々のロボット玩具が知られているが、ロボット玩具と筆記具セットとの間で可逆的に形態の変化可能であるとともに、複数種類の筆記具を使用可能とするものは存在していなかった。
【０００３】
【発明が解決しようとする課題】
本発明は、上記の点に鑑み発明されたものであって、ロボット玩具と筆記具セットとの間で可逆的に形態変化が可能であり、複数種類の筆記具を保持および使用可能とする新規な玩具の構造を提供することをその目的とする。
【０００４】
【課題を解決するための手段】
上記課題を解決するために、本発明の変形ロボット玩具は以下に示す構成を備えていることを特徴とする。すなわち、
（イ）ロボットの形態から筆記具セットの形態に可逆的に変化可能なロボット玩具であること。
（ロ）前記ロボット玩具は、胴体部材と第１の筆記具と第２の筆記具とから構成されていること。
（ハ）前記胴体部材には、複数の隔壁が互いに平行となるように設けられた装着部が形成され、当該装着部に前記第１および第２の筆記具を装着することで並列状に保持されるようになっていること。
（ニ）第１の筆記具は、前記複数の隔壁により形成された中央の区画に係合させることにより着脱自在に保持されるようになっていること。
（ホ）第２の筆記具は、前記複数の隔壁により形成された左右の区画に係合させることにより着脱自在に保持されるようになっていること。
（ヘ）第１の筆記具は、一端に前記ロボット玩具の頭部材を有するとともに、他端には筆記部が設けられていること。
（ト）第２の筆記具の上端は筆記部を構成しており、その下部は前記ロボット玩具の脚部を構成していること。
【０００５】
【発明の実施の形態】
まず、図面について簡単に説明する。図１は本発明のロボット玩具を表す斜視図であり、ロボットの形態を表したものである。図２は本発明のロボット玩具が筆記具セットの形態に変化した状態を表したものである。図３は本発明のロボット玩具を構成する各部材の分解斜視図である。図４および図５はロボット玩具を構成する各筆記具の構造を説明するための断面図である。
【０００６】
以下本発明の一実施の形態を図を用いて詳細に説明する。
図１において、１は本願発明のロボット玩具を示している。当該ロボット玩具１は、形態を変形させることにより図２に示すような筆記具セットとしての使用に適した形態に変化させることができるロボット玩具である。
更に詳細に説明すると、ロボット玩具１は胴体部材３と胴体部材３に対して任意の向きで着脱可能な第１の筆記具７および第２の筆記具９とから構成されている。尚本実施の形態では、筆記具の構成を第１及び第２の２種類を例に説明を行うが、２種類に限る必要はなくさらに複数種類備えていても差し支えない。
【０００７】
胴体部材３の構造を図１乃至図３を用いて説明する。
胴体部材３は、ロボット玩具としての胸部を表面にデザインした略方形の前面板１１を有しており、前面板１１の裏面には各筆記具を装着するための装着部１３が形成されている。
当該装着部１３について説明すると、装着部１３は前面板１１の裏面に垂直に立設された複数の隔壁１５（１５ａ、１５ｂ、１５ｃ、１５ｄ）であり、各隔壁１５は後述する筆記具の直径と略等しい高さで互いに平行となるように設けられている。本実施の形態では隔壁１５によって、３つの区画１７、１９、２１が形成されており、各区画内であって前面板１１の裏面の所定の位置には、それぞれ突起２３、２５、２７が設けられている。当該突起２３、２５、２７は、後述する各筆記具７、９の側面に設けた係合孔と係合し、各筆記具７、９を保持するために使用されるものである。
【０００８】
また、胴体部材３は回動可能に取り付けられた左右一対の腕部材５（５ａ、５ｂ）を有している。本実施の形態では胴体部材３の左右両側面を形成する隔壁１５ａ、１５ｄの外側面に突起状の突出軸２９（２９ａ、２９ｂ）が設けられており、当該突出軸２９ａ、２９ｂに腕部材５ａ、５ｂのそれぞれに設けられた取付孔３１ａおよび３１ｂ（図示せず）を装着させることにより、胴体部材３に対して腕部材５を回動自在に保持することが可能となっている。
【０００９】
次に、胴体部材３に対して着脱自在に装着される各筆記具について説明する。まず、第１の筆記具７について説明する。第１の筆記具７は、最適な例として、胴体部材３の裏面に形成された区画１９（中央の区画）に着脱自在に取付可能となっている。なお、取り付ける区画は他の区画１７、２１であっても差し支えない。
第１の筆記具７は、把持部となる円筒状の筒状部３３を有しており、筒状部３３の一端は色鉛筆の芯３５が取り付けられた筆記部となっており、他端にはロボット玩具１の頭部３７が設けられている。また、頭部３７は円筒状の筒体３９によって任意に覆うことが可能となっている。
筒体３９は、円筒を縦に半割したような形状の２分割体３９ａ、３９ｂを互いに接合させることによって形成されるものであり、筒状となった状態で一端に孔４１を有するとともに他端は閉塞した形状となっている。孔４１は筒状部３３と頭部３７の接続部分に係合するようになっており、筒状部３３に対して筒体３９が着脱自在に装着可能となっている。
【００１０】
このように、第１の筆記具７は筒状部３３に対して筒体３９が装着されることにより、筆記具の形態となっている。当該第１の筆記具７はこの状態で筆記具として利用可能であるとともに、この状態で胴体部３に対して装着可能となっている。
つまり、筒状部３３の側面には、方形の孔４２が形成されており、当該孔４２を胴体部３の区画１９内に形成した突起２５に係合させることにより、胴体部３に着脱自在に保持させることが可能となっているものである。
また、本発明のロボット玩具１を筆記具ホルダーとして使用するか、ロボット玩具として使用する等によって、第１の筆記具７を任意の向きに取り付けることが可能となっている。
【００１１】
次に、第２の筆記具９について説明する。第２の筆記具９は、本実施の形態では同じ構造のものが２本用意されており、胴体部材３の裏面に形成された区画１７、１９（左右の区画）にそれぞれ装着されるようになっている。
第２の筆記具９の構造について説明する。第２の筆記具９は、把持部となる円筒状の筒状部４３を有しており、筒状部４３の一端は色鉛筆の芯４５が取り付けられた筆記部４９となっており、他端にはロボット玩具１の脚部材４７が設けられている。
【００１２】
図５に示すように、前記筆記部４９は筒状部４３の一端に対して連結軸５１によって回動自在に取り付けられている。また、筒状部４３には、筒状部４３上を摺動自在となっている摺動体５３が設けられている。当該摺動体５３は、筆記部４９側に移動させ連結軸５１部分を覆っている場合には筒状部４３に対する筆記部４９の回転を防止し、脚部材４７側に移動した際には筒状部４３に対する筆記部４９が回転可能となるようになっている。
また、摺動体５３が脚部材４７側に移動した際には、後に説明するが摺動体５３の側面に形成された突起５５に、分割された状態の筒体３９の一方が装着されるようになっている。
【００１３】
第２の筆記具９は、上記の状態で筆記具として利用可能であるとともに、この状態で胴体部３に対して装着可能となっている。
つまり、筒状部４３の側面には、方形の孔５７が形成されており、当該孔５７を胴体部３の区画１７あるいは２１内に形成した突起２３あるいは２７に係合させることにより、胴体部３に着脱自在に保持させることが可能となっているものである。
【００１４】
第２の筆記具９についてもう少し詳しく説明する。第２の筆記具９の筆記部４９の反対側には、前述の通り脚部材４７が設けられている。当該脚部材４７は筒状部４３に対して長手方向に伸縮可能となるように保持されている。
脚部材４７の下端部は床面等に載置する載置面となっているが、上端部には筒状部４３内に摺動自在に保持される連結部材５９を有している。当該連結部材５９は筒状部４３の内面に摺接するようにガイドされており、連結部材５に形成した突起６１および６３と筒状部４３内に設けた軸との係合によって、伸びた状態あるいは縮んだ状態を保持することが可能となっている。
【００１５】
次に、ロボット玩具１の作用について説明する。
本発明のロボット玩具１は以上の構成を備えているので、図１に示すようなロボット玩具としての形態、あるいは複数種類の筆記具を保持した筆記具セットとしての形態に簡単な構成によって可逆的に変化させることが可能となっている。ロボット玩具としての形態では、中央の第１の筆記具７の端部に形成した頭部を有し、その両脇に保持した第２の筆記具９の下端が脚部となる構成となっている。この状態でロボット玩具として遊んだり飾ったりすることが可能となっている。
また、ボット玩具１に装着した各筆記具７、９は着脱自在に取り外し可能となっているので、必要に応じて任意の筆記具を単独で使用することができるようになっている。
さらに、筆記具としては色鉛筆に限ることなく、フェルトペン、シャープペンシル、その他種々の筆記具を用いてもよく、これらを組み合わせて筆記具セットを構成してもかまわない。
【００１６】
【発明の効果】
以上説明した本発明のロボット玩具は、以下に述べる効果を有している。すなわち、本発明のロボット玩具は簡単な構成によって、ロボット玩具から筆記具セットへ、または筆記具セットからロボット玩具へ形態を変化させることが可能となっている。
また、ロボット玩具の形態の時には通常の遊びとしてロボット遊びをしたり飾りものとして飾っておくことも可能であるが、筆記具セットとしての機能を有しているので実用的な文房具として使用することができるようになっている。
さらに、筆箱の代わりとして持ち運ぶことで、持ち運び先でロボット玩具として遊んだり、机の上に載置して飾ったり、筆記具セットとして保持されている各種ペンを使用することができるという効果を有している。
【図面の簡単な説明】
【図１】本発明の一実施の形態であるロボット玩具の、ロボットの状態を示す斜視図である。
【図２】本発明の一実施の形態であるロボット玩具の、筆記具セットの状態を示す斜視図である。
【図３】本発明の一実施の形態であるロボット玩具の構造を説明するための分解斜視図である。
【図４】本発明の一実施の形態であるロボット玩具に使用する、第１の筆記具を説明するための断面図である。
【図５】本発明の一実施の形態であるロボット玩具に使用する、第２の筆記具を説明するための断面図である。
【符号の説明】
１  ロボット玩具
３  胴体部材
５  腕部材
７  第１の筆記具
９  第２の筆記具
１１  前面板
１３  装着部
１５  隔壁
１７  区画
１９  区画
２１  区画
２３  突起
２５  突起
２７  突起
２９  突出軸
３１  取付孔
３３  筒状部
３５  芯
３７  頭部
３９  筒体
４１  孔
４３  筒状部
４５  芯
４７  脚部材
４９  筆記部
５１  連結軸
５３  摺動体
５５  突起
５７  孔
５９  連結部材
６１  突起
６３  突起
６５  軸
【図１】
0004242018.tif 000002
【図２】
0004242018.tif 000003
【図３】
0004242018.tif 000004
【図４】
0004242018.tif 000005
【図５】
0004242018.tif 000006